(57)【要約】【課題】  スライド式携帯電話機において、スライド開閉時の開閉端でのストッパの衝突音を低減させる。【解決手段】  操作部を有する第１の筐体１と、表示部を有する第２の筐体２と、第１の筐体１及び第２の筐体２を一軸方向にスライド自在に係合させるスライド係合手段３とを有するスライド式携帯電話機であって、スライド係合手段３にスライド樹脂部材９を設け、このスライド樹脂部材９と対向する筐体側の対向面に突条部１０を設け、両筐体１，２を伸展方向にスライドさせたとき、両筐体１，２の重なりが最小となる伸展端付近ではスライド樹脂部材９と突条部１０とが圧縮状態で接するように構成した。【選択図】図２
2006165854.tif 000002
【特許請求の範囲】
【請求項１】
情報を入力操作する操作部を有する第１の筐体と、情報を表示する表示部を有する第２の筐体と、上記第１の筐体及び上記第２の筐体を一軸方向にスライド自在に係合させるスライド係合手段とを有するスライド式携帯電話機において、
上記スライド係合手段にスライド樹脂部材を設け、上記両筐体のいずれか一方の筐体に上記スライド樹脂部材と対向させて突条部を設け、上記両筐体を伸展方向にスライドさせたとき、上記両筐体の重なりが最小となる付近では上記スライド樹脂部材と上記突条部とが圧縮状態で接するように構成したことを特徴とするスライド式携帯電話機。
【請求項２】
情報を入力操作する操作部を有する第１の筐体と、情報を表示する表示部を有する第２の筐体と、上記第１の筐体及び上記第２の筐体を一軸方向にスライド自在に係合させるスライド係合手段とを有するスライド式携帯電話機において、
上記スライド係合手段にスライド樹脂部材を設け、上記両筐体の何れか一方の筐体に上記スライド樹脂部材と対向させて突条部を設け、上記両筐体を収縮方向にスライドさせたとき、上記両筐体の重なりが最大となる付近では、上記スライド樹脂部材と上記突条部とが圧縮状態で接するように構成したことを特徴とするスライド式携帯電話機。
【請求項３】
情報を入力操作する操作部を有する第１の筐体と、情報を表示する表示部を有する第２の筐体と、上記第１の筐体及び上記第２の筐体を一軸方向にスライド自在に係合させるスライド係合手段とを有するスライド式携帯電話機において、
上記スライド係合手段にスライド樹脂部材を設け、上記両筐体の何れか一方の筐体に上記スライド樹脂部材と対向させて突条部を設け、上記両筐体を伸展方向又は収縮方向にスライドさせたとき、上記両筐体の重なりが最大となる付近及び最小となる付近では、上記スライド樹脂部材と上記突条部とが圧縮状態で接するように構成したことを特徴とするスライド式携帯電話機。
【請求項４】
請求項１〜請求項３のいずれか１項に記載のスライド式携帯電話機において、上記突条部は上記第１の筐体又は上記第２の筐体のいずれかに、帯状の樹脂部材を接着して形成したことを特徴とするスライド式携帯電話機。
【発明の詳細な説明】
【技術分野】
【０００１】
この発明は、情報を入力操作する操作部を有する第１の筐体と情報を表示する表示部を有する第２の筐体とが、互いにスライド可能に係合する、スライド式携帯電話機に関するものである。
【背景技術】
【０００２】
従来から、第１の筐体と第２の筐体を互いにスライド可能に係合して構成されるスライド式携帯電話が提案されている。例えば、表示部および受話部を有する正面側ユニットと、主操作部を有し正面側ユニットの裏側に係合された裏面側ユニットと、両ユニットを長軸方向にスライド自在に相互に係合するスライド係合手段を含み、更に両ユニットを常時展伸方向に付勢する付勢手段と、両ユニットが重なったときに縮退状態に係止する係止手段とを備えて構成されている（特許文献１参照）。
【０００３】
【特許文献１】特開２００３−１７９６７８号公報（第２頁、図１−図４）
【発明の開示】
【発明が解決しようとする課題】
【０００４】
従来のスライド式携帯電話機では、正面側ユニットを、裏面側ユニットに対して長軸方向にスライド係合手段によってスライド係合させている。スライド係合手段は、正面側ユニットに設けたガイドレールを裏面側ユニットに設けた案内溝に案内させて構成し、縮退状態のとき係止手段の係止を解除すると、付勢手段であるコイルばねの付勢力で両ユニットは伸展方向にスライドするようになっている。コイルばねにより伸展方向に常時付勢されているために、伸展端で正面側ユニットに設けたストッパが裏面側ユニットと衝突したとき、付勢力が強いと衝突音を発し、耳障りになるという問題点があった。
【０００５】
この発明は、上記のような問題点を解消するためになされたもので、スライド開閉時のストッパでの衝突音を低減させるスライド式携帯電話機を提供することを目的とする。
【課題を解決するための手段】
【０００６】
この発明に係わるスライド式携帯電話機は、情報を入力操作する操作部を有する第１の筐体と、情報を表示する表示部を有する第２の筐体と、第１の筐体及び第２の筐体を一軸方向にスライド自在に係合させるスライド係合手段とを有するスライド式携帯電話機において、スライド係合手段にスライド樹脂部材を設け、両筐体の何れか一方の筐体にスライド樹脂部材と対向させて突条部を設け、両筐体を伸展方向にスライドさせたとき、両筐体の重なりが最小となる付近ではスライド樹脂部材と突条部とが圧縮状態で接するように構成したものである。
【０００７】
また、上記同様にスライド樹脂部材と突条部とを設け、両筐体を収縮方向にスライドさせたとき、両筐体の重なりが最大となる付近では、スライド樹脂部材と突条部とが圧縮状態で接するように構成したものである。
【０００８】
更にまた、上記同様にスライド樹脂部材と突条部とを設け、両筐体を伸展方向又は収縮方向にスライドさせたとき、両筐体の重なりが最大となる付近及び最小となる付近では、スライド樹脂部材と突条部とが互いに圧縮状態で接するように構成したものである。
【発明の効果】
【０００９】
この発明のスライド式携帯電話機によれば、両筐体をスライド係合させるスライド係合手段にスライド樹脂部材を設け、スライド樹脂部材と対向する筐体側に突条部を設け、伸展端付近でスライド樹脂部材と突条部とが圧縮状態で接するようにしたので、伸展端近傍ではスライド速度を減衰させることができ、両筐体を最大まで伸展させたときにストッパ部で生じる衝突音を低減させることができる。
【００１０】
また、両筐体の収縮端近傍でスライド樹脂部材と突条部とが圧縮状態で接するようにしたので、収縮端近傍ではスライド速度を減衰させることができ、両筐体を最小まで収縮させたときストッパ部で生じる衝突音を低減させることができる。
【００１１】
更にまた、両筐体の伸展端近傍と収縮端近傍でスライド樹脂部材と突条部とが圧縮状態で接するようにしたので、伸展端近傍及び収縮端近傍ではスライド速度を減衰させることができ、両筐体を最大まで伸展させたとき、及び最小まで収縮させたときにストッパ部で生じる衝突音を低減することができる。
【発明を実施するための最良の形態】
【００１２】
実施の形態１．
図１はこの発明の実施の形態１によるスライド式携帯電話機の外観を示す斜視図であり、（ａ）は閉じた状態、（ｂ）は伸ばした状態を示している。図２は図１の分解斜視図である。図１に示すように、情報を入力操作する操作部を有する第１の筐体１と、情報を表示する表示部を有する第２の筐体２とが、（ａ）のように、重なりが最大となるように重ね合わせた「収縮状態」から、（ｂ）のように、重なりが最小となるように伸ばした「伸展状態」になるまで長軸方向にスライド自在に係合させている。係合部は、図２に示すように、第１の筐体１と第２の筐体２をスライド係合手段３によって結合している。以下、各構成部品について説明する。
【００１３】
第１の筐体１は、扁平な略直方体状をしており、表面側にはテンキー等の操作部４が配置され、内部には図示しないメイン回路基板等を含む各種基板やマイクロフォン、バッテリー等が配備収納されている。この第１の筐体１の表面が、第２の筐体２の裏面とスライド係合するスライド摺動面となるので、スライド係合手段３に設けたスライド樹脂部材９に対応させて、突条部１０を設けているが、この詳細については後述する。
【００１４】
第２の筐体２は、第１の筐体１とほぼ同じ輪郭で、扁平な略直方体状をしており、表面に設けたＬＣＤ等からなる大型の表示部５の内部には、図示しない駆動回路基板等の各種基板やスピーカ，カメラ等が装備される。なお、第１の筐体１と第２の筐体２を電気的に接続する接続部品や、両筐体を連絡する開口部等は図示を省略している。
【００１５】
スライド係合手段３は、図２に示すように、第１の筐体１側に取り付けられる固定部６と、第２の筐体２側に取り付けられるスライド部７と、捩りばね８とにより構成されている。固定部６とスライド部７とは互いに相対的にスライドして伸縮するので、実際は固定側と可動側の区別はないが、説明の便宜上、固定部，スライド部と呼び分けるものとする。捩りばね８は、一端が固定部６側の係止部６ａに係止され、他端がスライド部７側の係止部７ａに係止されている。固定部６の両サイドは図２中の断面Ａに示すように、コの字状の折曲部６ｂを有し、この折曲部６ｂにスライド部７の両側部７ｂの一部が嵌り込んで摺動可能に係合している。第１の筐体１上面側と対向する両側部７ｂの面にはスライド樹脂部材９を接着等により貼り付けて固着している。そして、スライド係合手段３が第１の筐体１に取り付けられた状態で、スライド樹脂部材９と対向する位置の第１の筐体１上面には突条部１０を形成している。図１，図２では突条部１０は、平面から見てＵ字状に形成したものを示しているが、Ｕ字状の両側の直線部が本発明の突条部として最小限必要な部分である。スライド樹脂部材９と突条部１０の更に詳細な形状については後述する。
【００１６】
図２に示すように、固定部６は、それに設けた取付穴６ｃを利用して第１の筐体１上面に取り付けて固定される。スライド部７は、それに設けた取付穴７ｃを利用して第２の筐体２下面に取り付けて固定される。
図２のスライド係合手段３は伸展状態のときを示している。両筐体１，２に組み込まれて両筐体が伸展され伸展端に達したときは、固定部６に設けたストッパ６ｄと、スライド部７に設けた突起部７ｄが当接し、動きが阻止される。同様に、両筐体１，２が収縮されて収縮端に達したときは、図示を省略しているが固定部６に設けたストッパとスライド部７に設けた突起部が当接し、動きが阻止されるように構成されている。
【００１７】
なお、両筐体の組み合わせ方法として、図のように第１の筐体１が下側の場合以外に第１の筐体１が上側にある場合も考えられるが、その場合も同様に構成できる。本説明では第１の筐体１が下側にある場合を例に説明している。（実施の形態２，３も同じ）
【００１８】
次に、図３によってスライド係合手段３の動作を説明する。図の（ａ）は両筐体が収縮状態のときを示し、（ｂ）は中間状態、（ｃ）は伸展状態を示している。捩りばね８は一端が固定部６の係止部６ａに係止され、他端がスライド部７の係止部７ａに係止されているが、捩りばね８の動きが見やすいように、ススライド部７は図示を省略している。
固定部６に対し捩りばね８の反発力をＰ１、スライド部７（すなわち第２の筐体２）が捩りばね８より常に受ける力をＰ２とする。収縮状態（ａ）から伸展状態（ｃ）にスライドさせるとき、収縮状態（ａ）では捩りばね８の力はＰ１とＰ２の合力で、常に収縮状態を維持する方向に作用している。この力に反発して第２の筐体２を伸展方向にスライドさせるとき、（ｂ）のように、捩りばね８と固定部６，スライド部７との係止部６ａ，７ａが同じ位置になるまでは収縮方向にばね力が作用し、（ｂ）の状態ではＰ１＝Ｐ２なのでどちらの方向にも力が作用せず、その位置を超え（ｃ）のようになると、逆向き、つまり両筐体１，２が開く伸展方向にばね力が作用する。
【００１９】
すなわち、携帯電話機の使用者が、例えば、第１の筐体１側を片手で握り、第２の筐体２を親指で押し上げて、（ｂ）の状態になるまでスライドさせれば、以降は捩りばね８のばね力により、第２の筐体２は伸展方向に自動的にスライドする。逆に、伸展状態（ｃ）から収縮状態（ａ）にスライドさせるときも、同様の原理で途中まで手動でスライドさせれば後は自動的に収縮端までスライドする。自動的にスライドして伸展端又は収縮端に達すると、スライド係合手段３内に設けたストッパ部が衝突して動きが停止する。
なお、上記のばね構造は一例であり、図３の構造に限定するものではない。
【００２０】
次に、本発明の特徴部である、スライド係合手段３のスライド部７に設けたスライド樹脂部材９と、それに対向させて第１の筐体１の上面に設けた突条部１０の形状と作用について説明する。図４はスライド樹脂部材９と突条部１０の作用を説明する図である。図は両部材のみを長手方向に見た側面断面で示し、両部材が正規に取り付けられて第１及び第２の筐体が収縮状態にあるときが（ａ）、伸展状態にあるときが（ｂ）である。
【００２１】
スライド樹脂部材９は、材質は、例えば、弾力性を有するポリアセタール（ＰＯＭ）から成り、長手方向側面の断面形状は、図のように伸展方向（矢印方向）先端側を後端側より薄く形成している。第１の筐体側に対向配置した突条部１０は、第１の筐体１の部材と一体に形成してもよく、あるいは、例えばポリカーボネート（ＰＣ）等の樹脂部材を用いて細帯状に形成し、接着剤で筐体表面に貼り付けても良い。断面形状は、上記スライド樹脂部材９とは反対に、先端側を後端側より厚く形成している。そして、収縮状態（ａ）から伸展状態（ｂ）にスライドさせたときに、両筐体の重なりが最小となる伸展端付近では、スライド樹脂部材９と突条部１０とが互いに圧縮状態で接するように厚み方向の寸法を調整している。なお、図は厚みを強調して表現しているが実際は薄いシート状である。
このような構成により、第２の筐体２を伸展方向にスライドさせたとき、第２の筐体２がスライド係合手段３の捩りばね８の付勢力で駆動されて伸展端付近に達すると、スライド樹脂部材９と突条部１０とが圧縮状態となりスライド速度が減速する。
【００２２】
なお、図１，図２では突条部１０の平面から見た形状をＵ字状に形成したものを示しているが、上記説明での作用に関係するのはＵ字状の両側の直線部である。図のように両直線部をＵ字状に連結しておけば、Ｕ字状の底辺の曲線部を、第２の筐体２を収縮したときのストッパとして利用することができる。
【００２３】
以上のように、実施の形態１の発明によれば、両筐体をスライド係合させるスライド係合手段にスライド樹脂部材を設け、これと対向する筐体側に突条部を設け、伸展端近傍でスライド樹脂部材と突条部とが圧縮状態で接するようにしたので、第２の筐体を第１の筐体に対して収縮状態から伸展状態にスライドさせるとき、伸展端付近では捩りばねにより付勢された第２の筐体のスライド速度を減速させることができる。従って、伸展端でストッパ部が衝突するときの衝突音を低減することができ、耳障りなく快適に操作できる。
【００２４】
また、突条部を第１の筐体とは別部材の帯状の樹脂部材とし、第１の筐体に接着により固定して形成した場合は、意匠面である第１の筐体の塗装表面が、スライド係合手段のスライド部と接触しないので、スライド摺動によって筐体の塗装が剥がれるのを防止することができる。
【００２５】
実施の形態２．
図５は実施の形態２によるスライド式携帯電話機の、スライド係合手段側に設けたスライド樹脂部材と第１の筐体側に設けた突条部の作用を説明する図である。スライド式携帯電話機の全体構成は実施の形態１の図１〜図３と同等なので説明は省略し、相違部分のみを説明する。相違点はスライド樹脂部材と突条部の長手方向の側面断面形状である。
【００２６】
図５において、両筐体１，２が伸展状態にあるときが（ａ）、収縮状態にあるときが（ｂ）である。図に示すように、スライド係合手段３側に設けるスライド樹脂部材１１は、収縮方向に向かって先端側が薄くなるように形成し、第１の筐体１側に設ける突条部１２は逆に収縮方向に向かって先端側の方を厚く形成している。そして、（ａ）の状態から（ｂ）の状態へスライドさせ、両筐体１，２の重なりが最大となる収縮端付近では、スライド樹脂部材１１と突条部１２とが圧縮状態で接するように隙間寸法が調整されている。
上記のように構成することで、第２の筐体２を第１の筐体１に対して伸展状態（ａ）から収縮状態（ｂ）にスライドさせるとき、収縮端付近ではスライド速度が減速する。
なお、突条部１２は、実施の形態１と同様に、筐体とは別部材の樹脂部材を用いて細帯状に形成し、接着剤で筐体表面に貼り付けても良い。
【００２７】
以上のように、実施の形態２の発明によれば、両筐体をスライド係合させるスライド係合手段にスライド樹脂部材を設け、これと対向する筐体側に突条部を設け、収縮端付近でスライド樹脂部材と突条部とが圧縮状態で接するようにしたので、第２の筐体を第１の筐体に対して伸展状態から収縮状態にスライドさせるとき、収縮端付近では捩りばねにより付勢された第２の筐体のスライド速度を減速させることができる。従って、収縮端でストッパ部が衝突するときの衝突音を低減することができる。
更に、突条部を第１の筐体とは別部材の帯状の樹脂部材で形成した場合は、スライド摺動によって意匠面である筐体表面の塗装が剥がれるのを防止することができる。
【００２８】
実施の形態３．
図６は実施の形態３によるスライド式携帯電話機の、スライド係合手段側に設けたスライド樹脂部材と第１の筐体側に設けた突条部の作用を説明する図である。図示以外の部分、すなわちスライド式携帯電話機の全体構成は実施の形態１の図１〜図３と同等なので説明は省略し、相違部分のみを説明する。
【００２９】
図６において、両筐体１，２が収縮状態にあるときが（ａ）、スライド途中が（ｂ）、伸展状態にあるときが（ｃ）である。図に示すように、スライド係合手段３側に設けるスライド樹脂部材１３は、伸展方向（矢印）に向かって先端側と後端側を中央部より薄く形成し、第１の筐体１側に設ける突条部１４は、逆に中央部から両端側に向かって厚くなるように形成している。そして、（ａ）の状態から（ｂ）を経て（ｃ）の状態へスライドさせるとき、両筐体１，２の重なりが最大となる収縮端付近及び最小となる伸展端付近では、スライド樹脂部材１３と突条部１４とが互いに圧縮状態で接するように隙間寸法が調整されている。
このような構成により、第２の筐体２を第１の筐体１に対して収縮状態（ａ）から伸展状態（ｃ）に、又は伸展状態（ｃ）から収縮状態（ａ）にスライドさせるとき、収縮端付近及び伸展端付近ではスライド速度が減速する。
なお、突条部１４は、実施の形態１と同様に、筐体とは別部材の樹脂部材を用いて細帯状に形成し、接着剤で筐体表面に貼り付けても良い。
【００３０】
以上のように、実施の形態３の発明によれば、両筐体をスライド係合させるスライド係合手段にスライド樹脂部材を設け、これと対向する筐体側に突条部を設け、両筐体を伸展方向又は収縮方向にスライドさせたとき、両筐体の重なりが最大となる付近及び最小となる付近では、スライド樹脂部材と突条部とが圧縮状態で接するように構成したので、収縮端付近及び伸展端付近では捩りばねにより付勢された第２の筐体のスライド速度を減速させることができる。従って、収縮端及び伸展端でストッパ部が衝突するときの衝突音を低減することができる。
更に、突条部を第１の筐体とは別部材の帯状の樹脂部材で形成した場合は、スライド摺動によって意匠面である筐体表面の塗装が剥がれるのを防止することができる。
【００３１】
なお、図４〜図６に示すスライド樹脂部材と突条部の側面断面形状はいずれも一例であり、例えば別の例として、図４に替えて図７に示すように、スライド樹脂部材１５と突条部１６を、いずれか一方の端部近傍のみ厚くするような形状でも良い。
【産業上の利用可能性】
【００３２】
第１の筐体と第２の筐体とが互いにスライド可能に係合する、スライド式構造の携帯端末機に利用できる。
【図面の簡単な説明】
【００３３】
【図１】この発明の実施の形態１によるスライド式携帯電話機の全体を示す斜視図である。
【図２】図１の分解斜視図である。
【図３】図２のスライド係合手段の動作を説明する図である。
【図４】実施の形態１のスライド樹脂部材と突条部の作用を説明する図である。
【図５】実施の形態２のスライド樹脂部材と突条部の作用を説明する図である。
【図６】実施の形態３のスライド樹脂部材と突条部の作用を説明する図である。
【図７】実施の形態１のスライド樹脂部材と突条部の他の例を示す図である。
【符号の説明】
【００３４】
１  第１の筐体                      ２  第２の筐体
３  スライド係合手段                ４  操作部
５  表示部                          ９，１１，１３，１５  スライド樹脂部材
１０，１２，１４，１６  突条部。
【図１】
2006165854.tif 000003
【図２】
2006165854.tif 000004
【図３】
2006165854.tif 000005
【図４】
2006165854.tif 000006
【図５】
2006165854.tif 000007
【図６】
2006165854.tif 000008
【図７】
2006165854.tif 000009